(57)【要約】【課題】  複数のシート処理の位置を調整するための指標を、ユーザが共通する基準線に対して行うことができる仕組みを提供する。【解決手段】    排紙されるシートに対して異なるシート処理を行う複数のシート処理装置のいずれかにシートを搬送する印刷装置であって、各シート処理装置からシート処理を特定する情報を取得する取得手段と、前記取得手段が取得した各シート処理装置の情報に基づいて、共通の基準線から各シート処理量を調整するための指標を含む調整テスト画像を生成する生成手段と、前記生成手段により生成された調整テスト画像を印刷する印刷手段と、を備えることを特徴とする。【選択図】  図５
2015157457.tif 000002
【特許請求の範囲】
【請求項１】
排紙されるシートに対して異なるシート処理を行う複数のシート処理装置のいずれかにシートを搬送する印刷装置であって、
各シート処理装置からシート処理を特定する情報を取得する取得手段と、
前記取得手段が取得した各シート処理装置の情報に基づいて、共通の基準線から各シート処理量を調整するための指標を含む調整テスト画像を生成する生成手段と、
前記生成手段により生成された調整テスト画像を印刷する印刷手段と、
を備えることを特徴とする印刷装置。
【請求項２】
各シート処理装置に設定する調整値を受け付ける受付手段と、
前記受付手段が受け付けた各調整値を各シート処理装置に設定する設定手段と、
を備える請求項１記載の印刷装置。
【請求項３】
前記生成手段は、各シート処理装置の調整値の加減を示す指標を示す画像を生成することを特徴とする請求項１記載の印刷装置。
【請求項４】
前記生成手段は、各シート処理装置の調整値の加減を示す指標と、加減方向を示す指標とを含む画像を生成することを特徴とする請求項１記載の印刷装置。
【請求項５】
前記印刷手段は、前記生成手段により生成された調整テスト画像をシートの両面に印刷することを特徴とする請求項１記載の印刷装置。
【請求項６】
前記シート処理装置は、中綴じステイプル処理、折り処理、クリース処理、断裁処理とを含むことを特徴とする請求項１乃至５のいずれか１項に記載の印刷装置。
【請求項７】
前記印刷手段は、いずれかのシート処理装置が断裁処理を実行する場合、共通の基準線からシート処理量を調整するための指標をシートの外縁側に印刷することを特徴とする請求項１記載の印刷装置。
【請求項８】
排紙されるシートに対して異なるシート処理を行う複数のシート処理装置のいずれかにシートを搬送する印刷装置の制御方法であって、
各シート処理装置からシート処理を特定する情報を取得する取得工程と、
前記取得工程が取得した各シート処理装置の情報に基づいて、共通の基準線から各シート処理量を調整するための指標を含む調整テスト画像を生成する生成工程と、
前記生成工程により生成された調整テスト画像を印刷する印刷工程と、
を備えることを特徴とする印刷装置の制御方法。
【請求項９】
請求項１乃至７のいずれか１項に記載の手段としてコンピュータを機能させるプログラム。
【発明の詳細な説明】
【技術分野】
【０００１】
本発明は、印刷装置、印刷装置の制御方法、及びプログラムに関するものである。
【背景技術】
【０００２】
複数のシート処理をシート処理装置に実行させる印刷装置で、それぞれのシート処理の位置の調整を行う技術がある。
【０００３】
例えば、折り、中綴じステイプル、断裁処理といったシート処理において、中折、断裁用の目盛り付きの調整用シート（テストチャート）を使って中綴じ製本のテスト印刷を行う。
【０００４】
そして、折り、断裁用の各基準線と、実際のテスト印刷の結果とのずれ量をユーザが目盛りによって認識し、ユーザがそのずれ量を入力する事でシート処理の位置を容易に調整する事が可能になる。（例えば、特許文献１参照）
【先行技術文献】
【特許文献】
【０００５】
【特許文献１】特開２００２−０１２３６４号公報
【発明の概要】
【発明が解決しようとする課題】
【０００６】
しかしながら、上記従来技術では、調整用画像は予め印刷装置に保存された固定の画像である。よって新しい排紙処理機能（例えばクリース処理）を持ったシート処理装置が接続された場合には、対応する調整画像がない為、テストチャートが印刷できず、調整用の画像を印刷できない。
【０００７】
さらに、各シート処理（中折、断裁）でそれぞれ異なる基準位置から引かれた基準線の目盛りを用いている。そのため、例えば中折り処理とクリース処理といった同じ基準位置に複数のシート処理の位置を合わせこむような場合に対応できない。
【０００８】
本発明は、上記の課題を解決するためになされたものである。本発明の目的は、複数のシート処理の位置を調整するための指標を、ユーザが共通する基準線に対して行うことができる仕組みを提供することである。
【課題を解決するための手段】
【０００９】
上記目的を達成する本発明の印刷装置は以下に示す構成を備える。
排紙されるシートに対して異なるシート処理を行うシート処理装置を複数組み合わせ可能な印刷装置であって、各シート処理装置からシート処理を特定する情報を取得する取得手段と、前記取得手段が取得した各シート処理装置の情報に基づいて、共通の基準線から各シート処理量を調整するための指標を含む調整テスト画像を生成する生成手段と、前記生成手段により生成された調整テスト画像を印刷する印刷手段と、を備えることを特徴とする。
【発明の効果】
【００１０】
本発明によれば、複数のシート処理の位置を調整するための指標を、ユーザが共通する基準線に対して行うことができる。
【図面の簡単な説明】
【００１１】
【図１】シート処理装置を適用可能な印刷装置の構成例を示す断面図である。
【図２】シート処理装置の断面図である。
【図３】印刷装置のメインコントローラを示すブロック図である。
【図４】管理テーブルの一例を示す図である。
【図５】印刷装置の制御方法を説明するフローチャートである。
【図６】調整シート用画像例を示す図である。
【図７】調整シート用画像例を示す図である。
【図８】調整シート用画像例を示す図である。
【図９】調整シート用画像例を示す図である。
【図１０】印刷装置で表示されるＵＩ画面の一例を示す図である。
【図１１】印刷装置で表示されるＵＩ画面の一例を示す図である。
【図１２】クリース処理による折り形状を説明する図である。
【図１３】印刷装置の制御方法を説明するフローチャートである。
【図１４】調整シート用の設定画面例を示す図である。
【図１５】調整シート用画像の一例を示す図である。
【図１６】印刷装置で表示されるＵＩ画面の一例を示す図である。
【図１７】印刷装置の制御方法を説明するフローチャートである。
【図１８】管理テーブルの一例を示す図である。
【図１９】印刷装置で表示されるＵＩ画面の一例を示す図である。
【図２０】印刷装置で表示されるＵＩ画面の一例を示す図である。
【発明を実施するための形態】
【００１２】
〔第１実施形態〕
＜画像形成装置の構成＞
図１は、本発明に係る印刷装置の構成例を示す断面図である。ここでは、印刷装置１００にシート処理装置を接続してシート処理機能を実行する例について説明する。
【００１３】
印刷装置１００は、画像形成部１０１、定着部１０２、スキャナ部１０３、操作部１０４、用紙排出部１０７、トナー補給部１１０、及び外部給紙装置１１８を備える。また、画像形成部１０１には、給紙装置１０５、１０６、搬送部１０８、一次転写部１１１、転写ベルト１１２、及び二次転写部１１３が設けられている。定着部１０２には、スイッチバック部１０９、廃トナー収納部１１４、定着ユニット１１５、１１６、及び搬送部１１７、１２３が設けられている。外部給紙装置１１８には、搬送部１１９、及び給紙装置１２０、１２１、１２２が設けられている。
【００１４】
スキャナ部１０３は、原稿をスキャンして画像の電子データを生成する。操作部１０４は、操作者による印刷装置１００への各種指示を受け付ける。また、操作部１０４には、ハードキーとともに、タッチパネル式などの表示部が設けられている。給紙装置１０５、１０６、１２０、１２２、１２２は印刷装置１００で印刷するための用紙（記録材）を積載する。用紙排出部１０７は、印刷された用紙を印刷装置１００の外部へ排出する。
【００１５】
各搬送部には、一定の間隔で用紙を搬送するためのローラが設けられている。スイッチバック部１０９は、用紙排出部１０７へ用紙を排出する際に用紙の出力面を反転させる。トナー補給部１１０は、画像形成部１０１に対して現像財であるトナーを補給する。一次転写部１１１は、画像データに従って形成したトナー像を転写ベルト１１２に転写する。二次転写部１１３は、転写ベルト１１２に転写されたトナー像を用紙に転写する。
廃トナー収納部１１４は、転写処理の過程において発生した余分なトナーを収納する。定着ユニット１１５は、二次転写部１１３において画像が転写された用紙に熱と圧力を加えて、トナーを用紙に定着させる。定着ユニット１１６は、定着ユニット１１５において画像が定着された用紙にさらに熱と圧力を加えて画像の定着を強化させる。搬送部１０８、１１７、１１９，１２３は、用紙を搬送するための搬送路である。搬送部１１７は、定着ユニット１１５から定着ユニット１１６へ用紙を搬送するための搬送路である。搬送部１２３は、定着ユニット１１５から定着ユニット１１６を介さずに用紙排出部１０７又はスイッチバック部１０９へ用紙を搬送するための搬送路である。搬送部１０８、１１９は、用紙を印刷装置１００へ供給するための搬送路である。
【００１６】
＜シート処理装置の構成＞
図２は、本発明に係る印刷装置１００の用紙排出部１０７を通して接続されるシート処理装置の断面図である。
シート処理装置としては、後述するクリーサ２００、フィニッシャ２１０及びトリマー２３０が接続されている。
クリーサ２００は、折を行う箇所等の用紙の所定の位置にあらかじめ折筋を付ける処理（クリース処理）を行う排紙処理装置（シート処理装置）である。
【００１７】
印刷装置１００の用紙排出部１０７から画像形成が完了した用紙がクリーサ２００の用紙入力部２０１に入力されてくる。クリースをする指定が有った場合、用紙はクリーサ２００の用紙搬送路２０２のから用紙搬送路２０４を経て、２０５の凸のクリースダイと、２０６の凹のクリースダイに挟まれることにより、折筋が付けられる。用紙の坪量や種類によって、２０５、２０６のダイは変更可能であり、ユーザが都度最適なダイをセットする。クリース処理を終了すると、用紙搬送路２０７を通して、次のシート処理装置へ用紙を搬出する。もしクリースをする指定が無かった場合は、用紙搬送路２０２から用紙搬送路２０３を経て、用紙搬送路２０７へ搬出する。
更に、クリーサ２００の後段のシート処理装置へ用紙を搬送する場合には、用紙搬送路２０７を経由して用紙が搬送され、フィニッシャへ２１０と搬送される。
また、２２３は操作部であり、操作者によるクリーサ２００の各種指示を受け付ける。また、操作部２２３には、ハードキーとともに表示部が設けられている。
【００１８】
次に２１０のフィニッシャについて説明する。フィニッシャでは、ユーザに指定された機能に応じ、印刷済み用紙に対して後処理を加える。具体的には、ステイプル（１個所・２箇所綴じ）やパンチ（２穴・３穴）や中とじ製本等の機能を有する。フィニッシャ２１０には排紙トレイ２１１、２１２の計２つ有り、用紙搬送路２１７を経由して排紙トレイ２１１に出力される。
用紙搬送路２１７ではステイプル等の処理を行うことはできない。ステイプル等の処理を行う場合は、用紙搬送路２１８を経由して、処理部２１９でユーザに指定された機能のフィニッシングを実行し排紙トレイ２１２へ出力される。
排紙トレイ２１１、２１２のトレイは昇降することが可能であり、排紙トレイ２１１を下降させ、処理部２１９でフィニッシング処理した用紙を下の排紙口から積載するように動作することも可能である。
ユーザの指定により挿入紙が指定された場合には、所定のページにインサータ２１４にセットされている挿入紙を用紙搬送路２１６を通して挿入させるように動作させることも可能である。中とじ製本が指定された場合には、中とじ処理部２２０で、用紙中央にステイプルされた後、用紙を二つ折りにして用紙搬送路２２１を経由して中とじ製本トレイ２１３へ出力される。中とじ製本トレイ２１３のトレイはベルトコンベア構成になっており、中とじ製本トレイ２１３上に積載された中とじ製本束は左側へ搬送される構成となっている。
次にトリマー２３０について説明する。
トリマー２３０は、中綴じ製本束の断裁処理（トリミング）を行う排紙処理装置（シート処理装置）である。断裁処理を行うように指示を受付けた場合には、中とじ製本束は２２１の用紙搬送路を経由してトリマー２３０へ搬送される。その後、中とじ製本束はカッタ部２３１によって断裁され、裁断済み中綴じ製本トレイ２３２に出力される。
【００１９】
＜印刷装置１００の制御構成＞  
図３は、本発明に係る印刷装置１００のメインコントローラ３０１を示すブロック図である。
メインコントローラ３０１は、ＣＰＵ３０５、ＲＡＭ３０６、操作部Ｉ／Ｆ３０７、ネットワークＩ／Ｆ制御部３０８、モデム３０９、ＲＯＭ３１０、ＨＤＤ３１１を備える。また、イメージバスＩ／Ｆ３１３を介し、ＲＩＰＩ／Ｆ３１４、データ圧縮部３１５、デバイスＩ／Ｆ３１６、及び画像処理部３１７を備える。また、３１２はＣＰＵバスであり、３２４はイメージバスである。
【００２０】
ネットワークＩ／Ｆ３０８には、外部機器とネットワークによって接続を行うためのネットワークケーブル３０３が接続される。モデム３０９には、外部機器と電話回線によって接続を行うための回線ケーブル３０４が接続される。
ＣＰＵ３０５は、メインコントローラ３０１全体を制御するためのプログラムを動作させる。ＲＡＭ３０６は、ＣＰＵ３０５上で動作するプログラムによって管理される。ＲＡＭ３０６は、外部から受信したデータを一時的に蓄えるための受信バッファやＲＩＰ３２１によってラスタライズされた画像データを一時的に蓄えるための画像データバッファ等の目的で使用される。
ＲＯＭ３１０は、ＣＰＵ３０５上で動作するプログラムやデータ等を格納する。ＨＤＤ３１１は、さまざまなデータを長期的に保存することが可能な不揮発性の記憶装置である。
【００２１】
操作部Ｉ／Ｆ３０７は、操作部１０４とメインコントローラ３０１とを接続するためのインタフェースである。イメージバスＩ／Ｆ３１３は、ＣＰＵバス３１２とイメージバス３２４とを接続するためのインタフェースである。ＲＩＰＩ／Ｆ３１４には、データバス３１８を介してＲＩＰ３２１が接続される。
ＲＩＰ３２１は、外部から入力される画像記述データをビットマップイメージデータに変換する機能を有するラスタライズボード（ＲＩＰ）である。ＲＩＰＩ／Ｆ３１４は、データバス３１８によってＲＩＰ３２１とイメージバス３２４を接続するためのインタフェースである。データ圧縮部３１５は、データを圧縮する。
【００２２】
また、デバイスＩ／Ｆ３１６には、データバス３１９を介して給排紙装置３２２が接続され、データバス３２０を介してプリンタ３２３が接続される。プリンタ３２３の構成は、図１を用いて上述した構成である。
ＣＰＵ３０５は、操作部１０４又は外部機器からネットワークケーブル３０３を介して指示される信号に従って、データバス３１９、３２０を介してプリンタ３２３及び給排紙装置３２２へ印刷を行うための命令を発行する。
また、給排紙装置３２２に含まれる制御装置に対して、クリース処理、折り処理、中綴じステイプル、裁断等の排紙処理（シート処理）を指示する為の命令も印刷する用紙に紐づいて発行する。
【００２３】
画像処理部３１７は、ＲＩＰ３２１によって生成されたビットマップイメージデータに各種画像処理を施す。画像処理部３１７では、２ページのビットマップイメージデータを１ページのビットマップイメージデータに合成する機能等のビットマップイメージデータをデジタル的に処理する機能を備える。
【００２４】
ジョブ制御部３２５は、外部から受信したデータをジョブとして解析して部数（コピー数：Ｎ）、給紙指定、排紙処理情報（クリース、折り、中綴じステイプル、裁断等）等の制御情報を得ると共にデータをジョブとして制御する。ジョブ制御情報保存部３２６は上記取得した制御情報を格納する領域である。
【００２５】
給紙制御部３２７は、ＣＰＵ３０５、ジョブ制御部３２５と共に給紙に関する制御を管理する。排紙制御部３２８は、ＣＰＵ３０５、ジョブ制御部３２５と共にクリーサ２００、フィニッシャ２１０、トリマー２３０を用いた折り、綴じ、クリース、裁断処理といった排紙処理機能を含む排紙に関する用紙毎制御を管理する。
排紙処理位置調整制御部３２９は、シート処理装置（クリーサ２００、フィニッシャ２１０、トリマー２３０）の持つ排紙機能の用紙への処理実行位置の調整機能処理に関する制御を行う。排紙処理装置制御情報保存部３３０は、装着されている排紙処理装置に関する情報を格納する領域である。
【００２６】
図４は、図３に示した排紙処理装置制御情報保存部３３０に保存される排紙処理装置制御情報管理テーブル（以下、管理テーブルと称する）の一例を示す図である。管理テーブルは、用紙排出部２００のシート処理装置及び、シート処理装置が持つ排紙処理機能、排紙処理機能の状態、排紙処理機能の位置調整範囲情報、位置調整の用紙基準位置、印刷装置１００からの位置調整設定の可否等を管理するテーブルである。
【００２７】
図５は、本実施形態を示す印刷装置の制御方法を説明するフローチャートである。なお、各ステップは、ＣＰＵ３０５が記憶された制御プログラムを実行することで実現される。
Ｓ５０１で、ＣＰＵ３０５は操作部Ｉ／Ｆ３０７を介し、操作部１０４に排紙処理機能の位置調整を実施するかを指示する画面（図１４）の表示を指示する。そして、Ｓ５０２で、ＣＰＵ３０５は、位置調整の実施が指示されたかどうかを判定する。ここで、位置調整の実施が指示されていないとＣＰＵ３０５が判断した場合、処理を終了する。
【００２８】
一方、位置調整の実施が指示されているとＣＰＵ３０５が判断した場合、Ｓ５０３に進みＣＰＵ３０５は排紙制御部３２８、排紙処理位置調整制御部３２９の制御の元にを通して現在装着されたシート処理装置、排紙処理機能の検知及び関連する情報を取得する。
【００２９】
ここで、取得する情報は、接続されているシート処理装置及び、シート処理装置が持つ排紙処理機能、排紙処理機能の状態、排紙処理機能の位置調整範囲情報、位置調整の用紙基準位置、印刷装置１００からの位置調整設定の可否である。
次にＳ５０４で、ＣＰＵ３０５は、検知したシート処理装置、排紙処理機能及び関連する情報を図４に示す項目に対応付けて管理テーブル（図４）に保存する。そして、上記管理テーブルの情報元に以降の処理で検知した実行可能な排紙処理機能に応じた排紙処理機能の位置調整用の調整シート用画像を生成する。以下図４に示す管理テーブルを例に処理を説明する。
Ｓ５０５で、ＣＰＵ３０５は排紙処理位置調整制御部３２９の制御の元に管理テーブル（図４）の内容から折り機能の有無と処理実行可能かを識別する。
【００３０】
ここで、折り機能処理が可能であるとＣＰＵ３０５が判断した場合、Ｓ５０６でＣＰＵ３０５は排紙処理位置調整制御部３２９の制御の元に管理テーブル（図４）から断裁機能の有無と処理実行可能かを識別する。
【００３１】
また、断裁機能処理が可能であるとＣＰＵ３０５が判断した場合、Ｓ５０７でＣＰＵ３０５は排紙処理位置調整制御部３２９の制御の元に管理テーブル（図４）から中綴じ機能の有無と処理実行可能かを識別する。
【００３２】
ここで、中綴じ処理が可能であるとＣＰＵ３０５が判断した場合、Ｓ５０９でＣＰＵ３０５は排紙処理位置調整制御部３２９の制御の元に管理テーブル（図４）からクリース機能の有無と処理実行可能かを識別する。
【００３３】
また、クリース処理が可能であるとＣＰＵ３０５が判断した場合Ｓ５１１に進む。そして、ＣＰＵ３０５は、排紙処理位置調整制御部３２９、画像処理部３１７、及び管理テーブル（図４）の情報に基づき、折り、中綴じステイプル、クリース、断裁処理位置調整専用の調整シート用画像を生成する。
図６の（Ａ）は、Ｓ５１１で生成される、折り、中綴じステイプル、クリース、断裁処理位置調整専用の調整シート用画像（調整テスト画像）例を示す図である。なお、本例は、各シート処理装置の調整値の加減を示す指標と、加減方向を示す指標とを含む画像を生成した例である。また、断裁を調整する指標については、共通の基準線からシート処理量を調整するための指標をシートの外縁側に印刷するように生成される。
図６の（Ａ）において、６０１は折り、中綴じステイプル、クリース処理位置調整の基準となる用紙センター基準ラインとなる。
【００３４】
６０２は位置調整値読み取り用の１ｍｍ間隔のガイドラインであり、用紙センター基準ライン（６０１）を中心に管理テーブル（図４）に保存されている折り、中綴じステイプル、クリース処理位置調整範囲に応じたガイドライン数となる。
６０３、６０８、６１３、６１８はどの排紙処理機能用の調整値であるかを示す。
６０４、６０７、６０９、６１２、６１４、６１７はガイドライン調整値方向を意味するプラス（＋）、マイナス（−）を示す。６０５、６０６、６１０、６１１、６１５、６１６はガイドライン調整値の±方向を矢印で明示的に示した物である。
【００３５】
６１９は、断裁処理用の位置調整値読み取り用の１ｍｍ間隔のガイドラインで用紙端を基準として管理テーブル（図４）に保存されている折り、断裁処理位置調整範囲に応じたガイドライン数となる。
【００３６】
そして、Ｓ５２１で、ＣＰＵ３０５は操作部Ｉ／Ｆ３０７を介し、操作部１０４に今回処理可能と判断された排紙処理機能の位置調整用画像を調整シート画像として排紙処理機能を行う調整用テスト画像印刷を実施するかを選択する画面の表示を指示する。当該画面の一例を図１０の（Ｂ）に示す。上記排紙処理機能は本制御例においては折り、中綴じステイプル、クリース、断裁処理となる。
そして、Ｓ５２２で、調整用テスト画像印刷の実施が指示されたかどうかを判別する。ここで、調整用テスト画像印刷の実施が指示されていないとＣＰＵ３０５が判断した場合、処理を終了する。一方、調整用テスト画像印刷の実施が選択されているとＣＰＵ３０５が判断した場合、Ｓ５２３に進む。
【００３７】
ＣＰＵ３０５はジョブ制御部３２５、排紙制御部３２８の及び画像処理部３１７の制御の元に前記生成した調整シート画像（図６の（Ａ））を用いた折り、中綴じステイプル、クリース、断裁処理を実施した調整用テスト画像印刷を実行する。
次にＳ５２４で、ＣＰＵ３０５は操作部Ｉ／Ｆ３０７を介し、操作部１０４に印刷された調整用テスト画像から調整値の設定を実施するか選択する画面（図１０の（Ｃ））を表示する。そして、Ｓ５２５で、ＣＰＵ３０５は、位置調整の設定が指示されたかどうかを判定する。ここで、位置調整の設定が指示されていないとＣＰＵ３０５が判断した場合、処理を終了する。
一方、位置調整の設定が指示されているとＣＰＵ３０５が判断した場合、Ｓ５２６に進み、ＣＰＵ３０５は、管理テーブル（図４）を参照して基準位置が同じ排紙処理機能をまとめて調整値入力する画面を操作部１０４に表示する。ここで管理テーブルは、排紙処理装置制御情報保存部３３０に保存されている。
本制御例では、同じ用紙センター基準である折り処理、中綴じステイプル、クリース処理の設定がまとめて表示された画面（図１１の（Ａ））となる。
Ｓ５２７で、ＣＰＵ３０５は操作部Ｉ／Ｆ３０７を介し、操作部１０４からの調整値入力が完了したかを判断する。ここで、位置調整値が入力されていないとＣＰＵ３０５が判断した場合、処理を終了する。
【００３８】
一方、位置調整値の入力が完了しているとＣＰＵ３０５が判断した場合、Ｓ５２８で、ＣＰＵ３０５は排紙制御部３２８、排紙処理位置調整制御部３２９の制御の元に入力された調整値を印刷装置１００に接続された対応するシート処理装置に設定する。本制御例では折り処理、中綴じステイプル位置調整値をフィニッシャ２１０に、クリース処理の位置調整値をクリーサ２００に設定する。
【００３９】
次にＳ５２９でＣＰＵ３０５は排紙処理位置調整制御部３２９の制御の元、排紙処理装置制御情報保存部３３０に保存されている管理テーブル（図４）から位置調整の基準位置がＳ５２６と異なる排紙処理機能があるかを判別する。ここで、基準位置が異なる排紙処理機能がないとＣＰＵ３０５が判断した場合は、本処理を終了する。
【００４０】
一方、基準位置が異なる排紙処理機能があるとＣＰＵ３０５が判断した場合、Ｓ５３０に進み、ＣＰＵ３０５は、操作部Ｉ／Ｆ３０７を介し、操作部１０４に管理テーブル（図４）から位置調整の基準位置が異なる排紙処理機能の調整値入力用の画面を表示する。
本制御例では、断裁処理が異なる用紙端基準であり表示される画面は図１１の（Ｂ）となる。
Ｓ５３１で、ＣＰＵ３０５は操作部Ｉ／Ｆ３０７を介し、操作部１０４からの調整値入力が完了したかを判断する。ここで、位置調整値が入力されていないとＣＰＵ３０５が判断した場合、処理を終了する。
【００４１】
一方、Ｓ５３１で、位置調整値の入力が完了しているとＣＰＵ３０５が判断した場合、Ｓ５３２で、ＣＰＵ３０５は排紙制御部３２８、排紙処理位置調整制御部３２９の制御の元に入力された調整値を対応する各シート処理装置に設定する。ここで入力される調整値は、デバイスＩ／Ｆ３１６を通して入力される。本制御例では断裁処理位置調整値をトリマー２３０に設定する。
一方、Ｓ５０９でクリース機能が処理実行できないとＣＰＵ３０５が判断した場合、Ｓ５１０に進む。
【００４２】
そして、Ｓ５１０で、ＣＰＵ３０５は排紙処理位置調整制御部３２９、画像処理部３１７、及び管理テーブル（図４）の情報に基づき、折り、中綴じ、断裁位置調整専用の調整シート用画像を生成する。
図７は、本実施形態を示すシート処理装置に適応した調整シート用画像の一例を示す図である。特に、図７の（Ａ）は、Ｓ５１０で生成される、折り、中綴じステイプル、断裁処理位置調整専用の調整シート用画像例である。
図７の（Ａ）において、８０１は折り、中綴じステイプル処理位置調整の基準となる用紙センター基準ラインとなる。
【００４３】
８０２は位置調整値読み取り用の１ｍｍ間隔のガイドラインであり用紙センター基準ライン（８０１）を中心に管理テーブル（図４）に保存されている折り、中綴じステイプル処理位置調整範囲に応じたガイドライン数となる。８０３、８０８、８１４はどの排紙処理機能用の調整値であるかを示す。
８０４、８０７、８０９、８１２は、ガイドライン調整値方向を意味するプラス（＋）、マイナス（−）を示す。８０５、８０６、８１０、８１１は、ガイドライン調整値の±方向を矢印で明示的に示したものである。
【００４４】
８１３は断裁処理用の位置調整値読み取り用の１ｍｍ間隔のガイドラインで、用紙端を基準として管理テーブル（図４）に保存されている折り、断裁処理位置調整範囲に応じたガイドライン数となる。そしてＳ５２１に進み、以降は前述同様の処理を行う。
一方、Ｓ５０７で、中綴じ機能の処理実行できないとＣＰＵ３０５が判断した場合、Ｓ５０８に進み、ＣＰＵ３０５は、クリース機能の処理実行できるかどうかを判断する。ここで、クリース機能の処理実行できないとＣＰＵ３０５が判断した場合、Ｓ５１３に進む。
そして、Ｓ５１３でＣＰＵ３０５は排紙処理位置調整制御部３２９、画像処理部３１７、及び管理テーブル（図４）の情報に基づき、折り、断裁位置調整専用の調整シート用画像を生成する。
【００４５】
図７の（Ｂ）は、Ｓ５１３で生成される、折り、断裁処理位置調整専用の調整シート用画像例である。
図７の（Ｂ）において、９０１は折り処理位置調整の基準となる用紙センター基準ラインとなる。９０２は位置調整値読み取り用の１ｍｍ間隔のガイドラインであり用紙センター基準ライン（９０１）を中心に管理テーブル（図４）に保存されている折り処理位置調整範囲に応じたガイドライン数となる。９０３、９０９はどの排紙処理機能用の調整値であるかを示す。９０４、９０７はガイドライン調整値方向を意味するプラス（＋）、マイナス（−）を示す。９０５、９０６はガイドライン調整値の±方向を矢印で明示的に示したものである。
【００４６】
９０８は、断裁処理用の位置調整値読み取り用の１ｍｍ間隔のガイドラインで用紙端を基準として管理テーブル（図４）に保存されている折り、断裁処理位置調整範囲に応じたガイドライン数となる。そして、Ｓ５２１に進み、以降は前述同様の処理を行う。
一方、Ｓ５０８では、ＣＰＵ３０５がクリース機能の処理を実行可能であるかどうかを判断する。ここで、クリース機能の処理を実行可能であるとＣＰＵ３０５が判断した場合、Ｓ５１２に進む。
そして、Ｓ５１２で、ＣＰＵ３０５は排紙処理位置調整制御部３２９、画像処理部３１７、及び管理テーブル（図４）の情報に基づき、折り、クリース、断裁位置調整専用の調整シート用画像を生成する。
【００４７】
図６の（Ｂ）は、Ｓ５１２で生成される、折り、クリース、断裁処理位置調整専用の調整シート用画像例である。
図６の（Ｂ）において、７０１は折り、クリース処理位置調整の基準となる用紙センター基準ラインとなる。７０２は位置調整値読み取り用の１ｍｍ間隔のガイドラインであり用紙センター基準ライン（７０１）を中心に管理テーブル（図４）に保存されている折り処理位置調整範囲に応じたガイドライン数となる。７０３、７０８、７１４はどの排紙処理機能用の調整値であるかを示す。７０４、７０７、７０９、７１２はガイドライン調整値方向を意味するプラス（＋）、マイナス（−）を示す。７０５、７０６、７０８、７１１はガイドライン調整値の±方向を矢印で明示的に示したものである。
【００４８】
７１３は、断裁処理用の位置調整値読み取り用の１ｍｍ間隔のガイドラインで用紙端を基準として管理テーブル（図４）に保存されている折り、断裁処理位置調整範囲に応じたガイドライン数となる。そしてＳ５２１に進み、以降は前述同様の処理を行う。
一方、Ｓ５０６で断裁処理機能の処理を実行できないとＣＰＵ３０５が判断した場合、Ｓ５１４に進む。Ｓ５１４でＣＰＵ３０５は排紙処理位置調整制御部３２９の制御の元に管理テーブル（図４）から中綴じ機能の有無と処理実行可能かを判断する。
【００４９】
ここで、中綴じ処理が可能であるとＣＰＵ３０５が判断した場合、Ｓ５１６でＣＰＵ３０５は排紙処理位置調整制御部３２９の制御の元に管理テーブル（図４）からクリース機能の有無と処理実行可能かを判断する。ここで、クリース処理が可能であるとＣＰＵ３０５が判断した場合、Ｓ５１８に進む。
【００５０】
そして、Ｓ５１８で、ＣＰＵ３０５は排紙処理位置調整制御部３２９、画像処理部３１７、及び管理テーブル（図４）の情報に基づき、折り、中綴じステイプル、クリース処理位置調整専用の調整シート用画像を生成する。
図８は、本実施形態を示すシート処理装置に適応した調整シート用画像の一例を示す図である。特に、図８の（Ａ）はＳ５１８で生成される、折り、中綴じステイプル、クリース処理位置調整専用の調整シート用画像例である。
図８の（Ａ）において、１００１は折り、中綴じステイプル、クリース処理位置調整の基準となる用紙センター基準ラインとなる。
【００５１】
１００２は位置調整値読み取り用の１ｍｍ間隔のガイドラインであり用紙センター基準ライン（１００１）を中心に管理テーブル（図４）に保存されている折り、中綴じステイプル、クリース処理位置調整範囲に応じたガイドライン数となる。１００３、１００８、１０１３はどの排紙処理機能用の調整値であるかを示す。１００４、１００７、１００９、１０１２、１０１４、１０１７はガイドライン調整値方向を意味するプラス（＋）、マイナス（−）を示す。１００５、１００６、１０１０、１０１１、１０１５、１０１６はガイドライン調整値の±方向を矢印で明示的に示したものである。そして、Ｓ５２１に進み、以降は前述同様の処理を行う。
【００５２】
一方、Ｓ５１６でクリース機能が処理実行できないとＣＰＵ３０５が判断した場合、Ｓ５１７に進む。Ｓ５１７でＣＰＵ３０５は排紙処理位置調整制御部３２９、画像処理部３１７、及び管理テーブル（図４）の情報に基づき、折り、中綴じステイプル位置調整専用の調整シート用画像を生成する。
【００５３】
図９は、本実施形態を示すシート処理装置に適応した調整シート用画像の一例を示す図である。特に、図９の（Ａ）は、Ｓ５１７で生成される、折り、中綴じステイプル処理位置調整専用の調整シート用画像例である。
図９の（Ａ）において、１２０１は折り、中綴じステイプル処理位置調整の基準となる用紙センター基準ラインとなる。
【００５４】
１２０２は位置調整値読み取り用の１ｍｍ間隔のガイドラインであり用紙センター基準ライン（１２０１）を中心に管理テーブル（図４）に保存されている折り、中綴じステイプル処理位置調整範囲に応じたガイドライン数となる。１２０３、１２０８はどの排紙処理機能用の調整値であるかを示す。１２０４、１２０７、１２０９、１２１２はガイドライン調整値方向を意味するプラス（＋）、マイナス（−）を示す。１２０５、１２０６、１２１０、１２１１はガイドライン調整値の±方向を矢印で明示的に示したものである。そしてＳ５２１に進み、以降は前述同様の処理を行う。
【００５５】
一方、Ｓ５１４で中綴じ機能の処理を実行できないとＣＰＵ３０５が判断した場合、Ｓ５１５に進む。そして、Ｓ５１５で、ＣＰＵ３０５は、クリース機能の処理を実行できるかどうかを判断する。ここで、クリース機能の処理を実行できないとＣＰＵ３０５が判断場合、Ｓ５２０に進む。
そして、Ｓ５２０で、ＣＰＵ３０５は排紙処理位置調整制御部３２９、画像処理部３１７、及び管理テーブル（図４）の情報に基づき、折り位置調整専用の調整シート用画像を生成する。
【００５６】
図９の（Ｂ）は、Ｓ５２０で生成される、折り処理位置調整専用の調整シート用画像例である。
図９の（Ｂ）において、１３０１は折り処理位置調整の基準となる用紙センター基準ラインとなる。１３０２は位置調整値読み取り用の１ｍｍ間隔のガイドラインであり用紙センター基準ライン（１３０１）を中心に管理テーブル（図４）に保存されている折り処理位置調整範囲に応じたガイドライン数となる。１３０３はｑどの排紙処理機能用の調整値であるかを示す。１３０４、１３０７ガイドライン調整値方向を意味するプラス（＋）、マイナス（−）を示す。１３０５、１３０６はガイドライン調整値の±方向を矢印で明示的に示したものである。そしてＳ５２１に進み、以降は前述同様の処理を行う。
【００５７】
一方、Ｓ５１５でクリース機能の処理を実行できるとＣＰＵ３０５が判断した場合、Ｓ５１８に進む。
そして、Ｓ５１８で、ＣＰＵ３０５は排紙処理位置調整制御部３２９、画像処理部３１７、及び管理テーブル（図４）の情報に基づき、折り、クリース位置調整専用の調整シート用画像を生成する。
【００５８】
図８の（Ｂ）は、Ｓ５１８で生成される、折り、クリース処理位置調整専用の調整シート用画像例である。
図８の（Ｂ）において、１１０１は折り、クリース処理位置調整の基準となる用紙センター基準ラインとなる。１１０２は位置調整値読み取り用の１ｍｍ間隔のガイドラインであり用紙センター基準ライン（１１０１）を中心に管理テーブル（図４）に保存されている折り処理位置調整範囲に応じたガイドライン数となる。１１０３、１１０８はどの排紙処理機能用の調整値であるかを示す。１１０４、１１０７、１１０９、１１１２はガイドライン調整値方向を意味するプラス（＋）、マイナス（−）を示す。１１０５、１１０６、１１０８、１１１１はガイドライン調整値の±方向を矢印で明示的に示したものである。そして、Ｓ５２１に進み、以降は前述同様の処理を行う。
【００５９】
本実施形態によれば、印刷装置に接続されているシート処理装置から動的に位置調整を行う為の調整用画像を自動的に生成する事で様々な排紙処理（シート処理）の位置調整用テスト印刷をすることが可能になる。
【００６０】
〔第２実施形態〕
本実施形態では、位置調整の基準位置が同じ複数の排紙処理機能において特定の排紙処理機能用の位置調整用画像をその他の排紙処理機能用と分けて生成して、調整用テスト画像印刷時に表面と裏面に分けて両面印刷可能とする例である。
【００６１】
本実施形態において、クリースと折りの組み合わせ処理方法の種類は、クリース処理の後にどちらの方向に折るかで山折と谷折の２つに分ける事が出来る。山折は、クリースダイを押し当てた方向が山になるように折る方法であり、谷折は、クリースダイを押し当てた向きが谷になるように折る方法である。
【００６２】
次に、図１２を用いてクリース処理後の折方法について説明する。
図１２に示すように、クリース処理を実施した後、折る方向により、山折と谷折の２つの方法が有る。
図１２において、２０５のダイを押した方向が山になるように折る方法が山折である。図１２の２００１はクリース処理後の用紙の状態を表しており、２００２は２０５と２０６のダイにより、クリース処理が行われた状態を表している。２００３は山折を行った状態を表している。２０５のダイを押した向きが谷になるように折る方法が谷折である。２００４はクリース処理後の用紙の状態を表しており、２００５は２０５と２０６のダイにより、クリース処理が行われた状態を表している。２００６は谷折を行った状態を表している。
【００６３】
折り処理が山折りで実施される場合、実際に調整用テスト画像印刷実行時クリース処理が行われる面は用紙の外側面になる為、クリース調整用テスト画像は用紙の外側面に印字される方がユーザにとって位置調整値の読み取りがより容易になる。
そこで、本実施形態では、クリースと折りの組み合わせ処理方法によってクリース機能用の位置調整用画像をその他の排紙処理機能用とは別に生成する場合とする。
【００６４】
図１３は、本実施形態を示す印刷装置の制御方法を説明するフローチャートである。なお、各ステップは、ＣＰＵ３０５が記憶された制御プログラムを実行することで実現される。
Ｓ１９０１で、ＣＰＵ３０５は操作部Ｉ／Ｆ３０７を介し、操作部１０４に排紙処理機能の位置調整を実施するかを指示する画面（図１４）の表示を指示する。そして、Ｓ１９０２で位置調整の実施が指示されたかどうかを判定する。ここで、位置調整の実施が指示されていないとＣＰＵ３０５が判断した場合、処理を終了する。
【００６５】
一方、位置調整の実施が指示されているとＣＰＵ３０５が判断した場合、Ｓ１９０３に進み、ＣＰＵ３０５は排紙制御部３２８、排紙処理位置調整制御部３２９の制御の元に現在装着されているシート処理装置、排紙処理機能の検知及び関連する情報を取得する。
【００６６】
ここで、ＣＰＵ３０５が取得する情報は、接続されているシート処理装置及び、シート処理装置が持つ排紙処理機能、排紙処理機能の状態、排紙処理機能の位置調整範囲情報、位置調整の用紙基準位置、印刷装置１００からの位置調整設定の可否である。
次にＳ１９０４で、検知したシート処理装置、排紙処理機能及び関連する情報を管理テーブル（図４）に保存する。
そして、上記管理テーブルの情報元に以降の処理で検知した実行可能な排紙処理機能に応じた排紙処理機能の位置調整用の調整シート用画像を生成する。以下図４の管理テーブルを例に処理を説明する。
【００６７】
Ｓ１９０５で、ＣＰＵ３０５は操作部Ｉ／Ｆ３０７を介し、操作部１０４に今回処理可能である排紙処理機能の位置調整用画像を調整シート画像として排紙処理機能を行う調整用テスト画像印刷を実施するかを選択する画面（図１０の（Ｂ））の表示を指示する。
上記排紙処理機能は本制御例においては折り、中綴じステイプル、クリース、断裁処理とする。
そして、Ｓ１９０６で、ＣＰＵ３０５は、調整用テスト画像印刷の実施が指示されたかどうかを判別する。ここで、調整用テスト画像印刷の実施が指示されていないとＣＰＵ３０５が判断した場合、処理を終了する。
【００６８】
一方、調整用テスト画像印刷の実施が選択されているとＣＰＵ３０５が判断した場合、Ｓ１９０７に進む。そして、Ｓ１９０７で、ＣＰＵ３０５は操作部１０４に今回の調整用テスト画像印刷においてクリース／折り処理を山折りで実施するかを選択する画面（図１６））表示を指示する。そして、Ｓ１９０８で山折りでの実施が指示されたかどうかを判別する。ここで、山折りでの実施が指示されているとＣＰＵ３０５が判断した場合、Ｓ１９０９に進む。
そして、Ｓ１９０９でＣＰＵ３０５は排紙処理位置調整制御部３２９、画像処理部３１７、及び管理テーブル（図４）の情報に基づき、折り、中綴じステイプル、断裁処理位置調整専用の調整シート用画像を生成する。
【００６９】
図１４は、本実施形態を示すシート処理装置に適応した調整シート用画像の一例を示す図である。特に、図１４の（Ａ）は、Ｓ１９０９で生成される、折り、中綴じステイプル、断裁処理位置調整専用の調整シート用画像例である。
図１４の（Ａ）において、２１０１は折り、中綴じステイプル処理位置調整の基準となる用紙センター基準ラインとなる。
【００７０】
２１０２は位置調整値読み取り用の１ｍｍ間隔のガイドラインであり用紙センター基準ライン（２１０１）を中心に管理テーブル（図４）に保存されている折り、中綴じステイプル処理位置調整範囲に応じたガイドライン数となる。２１０３、２１０８、２１１４はどの排紙処理機能用の調整値であるかを示す。２１０４、２１０７、２１０９、２１１２はガイドライン調整値方向を意味するプラス（＋）、マイナス（−）を示す。２１０５、２１０６、２１１０、２１１１はガイドライン調整値の±方向を矢印で明示的に示したものである。
【００７１】
２１１３は、断裁処理用の位置調整値読み取り用の１ｍｍ間隔のガイドラインで用紙端を基準として管理テーブル（図４）に保存されている折り、断裁処理位置調整範囲に応じたガイドライン数となる。
次にＳ１９１０に進みＣＰＵ３０５は排紙処理位置調整制御部３２９、画像処理部３１７、及び管理テーブル（図４）の情報に基づき、クリース位置調整専用の調整シート用画像を生成する。
【００７２】
図１４の（Ｂ）は、Ｓ１９１０で生成される、クリース処理位置調整専用の調整シート用画像例である。
図１４の（Ｂ）において、２２０１はクリース処理位置調整の基準となる用紙センター基準ラインとなる。２２０２は位置調整値読み取り用の１ｍｍ間隔のガイドラインであり用紙センター基準ライン（２２０１）を中心に管理テーブル（図４）に保存されているクリース処理位置調整範囲に応じたガイドライン数となる。２２０３はどの排紙処理機能用の調整値であるかを示す。
２２０４、２２０７はガイドライン調整値方向を意味するプラス（＋）、マイナス（−）を示す。２２０５、２２０６はガイドライン調整値の±方向を矢印で明示的に示したものである。
【００７３】
そして、Ｓ１９１１で、ＣＰＵ３０５はジョブ制御部３２５、排紙制御部３２８の及び画像処理部３１７の制御の元に前記生成した調整シート用画像を用いた山折り、中綴じステイプル、クリース、断裁処理を実施した調整用テスト画像印刷を実行する。
前記調整用テスト画像印刷では、折り、中綴じステイプル、断裁処理位置調整専用の調整シート用画像（図１４の（Ａ））を裏面に、クリース処理位置調整専用の調整シート用画像（図１４の（Ｂ））を表面に割り当て実行される。
【００７４】
図１５は、本実施形態を示すシート処理装置に適応した調整シート用画像の一例を示す図である。本例は、図１４の（Ａ）、（Ｂ）を用紙の裏面側と表面側に調整用テスト画像印刷結果を両面印刷した例である。
一方、Ｓ１９０８で山折りでの実施が指示されていないとＣＰＵ３０５が判断した場合、Ｓ１９２１に進む。そして、Ｓ１９２１でＣＰＵ３０５は排紙処理位置調整制御部３２９、画像処理部３１７、及び管理テーブル（図４）の情報に基づき、折り、中綴じステイプル、クリース、断裁処理位置調整専用の調整シート用画像を生成する。
【００７５】
図６の（Ａ）は、Ｓ１９２１で生成される、折り、中綴じステイプル、クリース、断裁処理位置調整専用の調整シート用画像例である。
図６の（Ａ）において、６０１は折り、中綴じステイプル、クリース処理位置調整の基準となる用紙センター基準ラインとなる。６０２は位置調整値読み取り用の１ｍｍ間隔のガイドラインであり用紙センター基準ライン（６０１）を中心に管理テーブル（図４）に保存されている折り、中綴じステイプル、クリース処理位置調整範囲に応じたガイドライン数となる。６０３、６０８、６１３、６１８はどの排紙処理機能用の調整値であるかを示す。６０４、６０７、６０９、６１２、６１４、６１７はガイドライン調整値方向を意味するプラス（＋）、マイナス（−）を示す。６０５、６０６、６１０、６１１、６１５、６１６はガイドライン調整値の±方向を矢印で明示的に示したものである。
【００７６】
６１９は、断裁処理用の位置調整値読み取り用の１ｍｍ間隔のガイドラインで用紙端を基準として管理テーブル（図４）に保存されている折り、断裁処理位置調整範囲に応じたガイドライン数となる。
【００７７】
そして、Ｓ１９２２で、ＣＰＵ３０５は操作部１０４に今回処理可能と判断された排紙処理機能の位置調整用画像を調整シート画像として排紙処理機能を行う調整用テスト画像印刷を実施するかを選択する画面（図１０の（Ｂ））の表示を指示する。上記排紙処理機能は本制御例において折り、中綴じステイプル、クリース、断裁処理とする。
そして、調整用テスト画像印刷の実施が指示されたかどうかを判別する。調整用テスト画像印刷の実施が指示されなかった場合、処理を終了する。
一方、調整用テスト画像印刷の実施が選択されていないとＣＰＵ３０５が判断した場合Ｓ５２３以降の処理に進む。
【００７８】
そして、ＣＰＵ３０５は、ジョブ制御部３２５、排紙制御部３２８の及び画像処理部３１７の制御の元に前記生成した調整シート画像（図６）を用いた折り、中綴じステイプル、クリース、断裁処理を実施した調整用テスト画像印刷を実行する。
そして、Ｓ１９１２に進み、以降は第１実施形態のＳ５２１以降と同様の処理となる為、説明は省略する。
以上のように、本実施形態によれば、同じ基準位置に処理位置を合わせる調整が必要なクリース処理と折り処理の位置調整の場合、それぞれの調整値を読み取りが別々の面に印字されたスケールになる為、ユーザにとって位置調整値の読み取りがより容易になる。
【００７９】
〔第３実施形態〕
本実施形態では、印刷装置１００に接続されていシート処理装置の一部に印刷装置１００からの位置調整設定ができない場合、位置調整の用紙基準位置が同じ場合でも調整値の設定指示方法を変更する例である。
本実施形態ではクリーサ２００に対して印刷装置１００からの位置調整設定ができない場合とする。
【００８０】
図１７が、本実施形態を示す印刷装置の制御方法を説明するフローチャートである。なお、各ステップは、ＣＰＵ３０５が記憶された制御プログラムを実行することで実現される。
Ｓ２５０１で、ＣＰＵ３０５は操作部Ｉ／Ｆ３０７を介し、操作部１０４に排紙処理機能の位置調整を実施するかを指示する画面（図１０の（Ａ））の表示を指示する。そして、Ｓ２５０２で位置調整の実施が指示されたかどうかを判定する。ここで、位置調整の実施が指示されていないとＣＰＵ３０５が判断した場合、処理を終了する。
一方、位置調整の実施が指示されているとＣＰＵ３０５が判断した場合、Ｓ２５０３に進み、ＣＰＵ３０５は排紙制御部３２８、排紙処理位置調整制御部３２９の制御の元に現在装着されているシート処理装置、排紙処理機能の検知及び関連する情報を取得する。
【００８１】
ここで、ＣＰＵ３０５が取得する情報は、接続されているシート処理装置及び、シート処理装置が持つ排紙処理機能、排紙処理機能の状態、排紙処理機能の位置調整範囲情報、位置調整の用紙基準位置、印刷装置１００からの位置調整設定の可否である。
次に、Ｓ２５０４で、検知したシート処理装置、排紙処理機能及び関連する情報を管理テーブル（図１８）に保存する。
そして、図１８に示した管理テーブルの情報元に以降の処理で検知した実行可能な排紙処理機能に応じた排紙処理機能の位置調整用の調整シート用画像を生成する。以下図１８に示す管理テーブルを例に処理を説明する。
【００８２】
Ｓ２５０５で、ＣＰＵ３０５は排紙処理位置調整制御部３２９、画像処理部３１７、及び管理テーブル（図１８）の情報に基づき、折り、中綴じステイプル、クリース、断裁処理位置調整専用の調整シート用画像を生成する。
【００８３】
図６の（Ａ）はＳ２５０５で生成される、折り、中綴じステイプル、クリース、断裁処理位置調整専用の調整シート用画像例である。
図６の（Ａ）において、６０１は折り、中綴じステイプル、クリース処理位置調整の基準となる用紙センター基準ラインとなる。
６０２は位置調整値読み取り用の１ｍｍ間隔のガイドラインであり用紙センター基準ライン（６０１）を中心に管理テーブル（図４）に保存されている折り、中綴じステイプル、クリース処理位置調整範囲に応じたガイドライン数となる。６０３、６０８、６１３、６１８はどの排紙処理機能用の調整値であるかを示す。６０４、６０７、６０９、６１２、６１４、６１７はガイドライン調整値方向を意味するプラス（＋）、マイナス（−）を示す。６０５、６０６、６１０、６１１、６１５、６１６はガイドライン調整値の±方向を矢印で明示的に示したものである。
【００８４】
６１９は、断裁処理用の位置調整値読み取り用の１ｍｍ間隔のガイドラインで用紙端を基準として管理テーブル（図１８）に保存されている折り、断裁処理位置調整範囲に応じたガイドライン数となる。
【００８５】
Ｓ２５０６で、ＣＰＵ３０５は、操作部１０４に今回処理可能と判断された排紙処理機能の位置調整用画像を調整シート画像として排紙処理機能を行う調整用テスト画像印刷を実施するかを選択する画面（図１０の（Ｂ））の表示を指示する。なお、上記排紙処理機能は、本制御例においては折り、中綴じステイプル、クリース、断裁処理とする。
そして、Ｓ２５０７で、ＣＰＵ３０５は、調整用テスト画像印刷の実施が指示されたかどうかを判別する。ここで、調整用テスト画像印刷の実施が指示されていないとＣＰＵ３０５が判断した場合、処理を終了する。一方、Ｓ２５０７で、調整用テスト画像印刷の実施が選択されているとＣＰＵ３０５が判断した場合Ｓ２５０８に進む。
【００８６】
そして、Ｓ２５０８で、ＣＰＵ３０５はジョブ制御部３２５、排紙制御部３２８の及び画像処理部３１７の制御の元に前記生成した調整シート画像（図６）を用いた折り、中綴じステイプル、クリース、断裁処理を実施した調整用テスト画像印刷を実行する。
次に、Ｓ２５０９で、ＣＰＵ３０５は操作部Ｉ／Ｆ３０７を介し、操作部１０４に印刷された調整用テスト画像から調整値の設定を実施するか選択する画面（図１０の（Ｃ））を表示する。
そして、Ｓ２５１０で、ＣＰＵ３０５は、位置調整の設定が指示されたかどうかを判定する。ここで、位置調整の設定が指示されていないとＣＰＵ３０５が判断した場合、処理を終了する。一方、Ｓ２５１０で、位置調整の設定が指示されているとＣＰＵ３０５が判断した場合、Ｓ２５１１に進み、ＣＰＵ３０５は排紙処理位置調整制御部３２９の制御の元に管理テーブル（図１８）から位置調整の基準位置が同じ排紙処理機能を全て選択する。
【００８７】
そして、Ｓ２５１２に進み、ＣＰＵ３０５は排紙処理位置調整制御部３２９の制御の元に管理テーブル（図１８）から調整設定実行不可能な排紙処理機能があるか判別する。ここで、調整設定実行不可能な排紙処理機能があるとＣＰＵ３０５が判断した場合Ｓ２５１３に進む。
【００８８】
そして、Ｓ２５１３に進み、ＣＰＵ３０５は、操作部１０４に排紙処理位置調整制御部３２９の制御の元に管理テーブル（図１８）から調整設定実行可能な位置調整の基準位置が同じ排紙処理機能をまとめて調整値入力する画面を表示する。
本制御例では、同じ用紙センター基準で調整設定実行可能な折り処理、中綴じステイプル設定がまとめて表示された画面（図１９）となる。そして、Ｓ２５１４で、ＣＰＵ３０５は操作部Ｉ／Ｆ３０７を介し、操作部１０４からの調整値入力が完了したかを判断する。ここで、位置調整値が入力されていないとＣＰＵ３０５が判断した場合、処理を終了する。
【００８９】
一方、Ｓ２５１４で、位置調整値の入力が完了しているとＣＰＵ３０５が判断した場合、Ｓ２５１５で、ＣＰＵ３０５は排紙制御部３２８、排紙処理位置調整制御部３２９の制御の元にを通して、入力された調整値をシート処理装置に設定する。本制御例では折り処理、中綴じステイプル位置調整値をフィニッシャ２１０に設定する。
【００９０】
次に、Ｓ２５１６に進み、ＣＰＵ３０５は排紙処理位置調整制御部３２９の制御の元に管理テーブル（図１８）から調整設定実行不可能な排紙処理機能が選択する。そして、ＣＰＵ３０５は操作部Ｉ／Ｆ３０７を介し、操作部１０４に該当排紙処理機能を持つ排紙オプションで位置調整を行うよう指示する画面（図２０）を表示する。
本制御例ではクリース処理位置の調整値をシート処理装置（クリーサ２００）のＵＩで設定を促す画面（図１４の（Ｂ））を表示する。
【００９１】
Ｓ２５１６で、ＣＰＵ３０５は排紙処理位置調整制御部３２９の制御の元、排紙処理装置制御情報保存部３３０に保存されている管理テーブル（図１８）から位置調整の基準位置がＳ５２６と異なる排紙処理機能があるかを判別する。ここで、基準位置が異なる排紙処理機能がないとＣＰＵ３０５が判断した場合は処理を終了する。
【００９２】
一方、Ｓ２５１６で、基準位置が異なる排紙処理機能がある場合、Ｓ２５１８に進み操作部Ｉ／Ｆ３０７を介し、操作部１０４に管理テーブル（図１８）から位置調整の基準位置が異なる排紙処理機能の調整値入力用の画面を表示する。本制御例では、断裁処理が異なる用紙端基準であり表示される画面は図１１の（Ｂ）となる。
Ｓ２５１９で、ＣＰＵ３０５は操作部Ｉ／Ｆ３０７を介し、操作部１０４からの調整値入力が完了したかを判断する。ここで、位置調整値が入力されていないとＣＰＵ３０５が判断した場合、処理を終了する。
【００９３】
一方、Ｓ２５１９で、位置調整値の入力が完了しているとＣＰＵ３０５が判断した場合Ｓ２５２０に進む。Ｓ２５２０で、ＣＰＵ３０５は排紙制御部３２８、排紙処理位置調整制御部３２９の制御の元にデバイスＩ／Ｆ３１６を通して、入力された調整値をシート処理装置に設定する。本制御例では断裁処理位置調整値をトリマー２３０に設定する。
一方、Ｓ２５１２で調整設定実行不可能な排紙処理機能がないとＣＰＵ３０５が判断した場合、Ｓ２５２１に進む。
【００９４】
そして、ＣＰＵ３０５は排紙処理位置調整制御部３２９の制御の元に排紙処理装置制御情報保存部３３０に保存されている管理テーブル（図１８）から基準位置が同じ排紙処理機能をすべて選択する。そして、ＣＰＵ３０５は操作部Ｉ／Ｆ３０７を介し、操作部１０４に上記選択された位置調整の基準位置が同じ排紙処理機能をまとめて調整値入力する画面を表示する。
本制御例では、同じ用紙センター基準である折り処理、中綴じステイプル、クリース処理の設定がまとめて表示された画面（図１１の（Ａ））となる。そして、Ｓ２５２２でＣＰＵ３０５は操作部Ｉ／Ｆ３０７を介し、操作部１０４からの調整値入力が完了したかを判断する。ここで、位置調整値が入力されていないとＣＰＵ３０５が判断した場合、処理を終了する。
【００９５】
一方、Ｓ２５２２で、位置調整値の入力が完了しているとＣＰＵ３０５が判断した場合、Ｓ２５２３で、ＣＰＵ３０５は排紙制御部３２８、排紙処理位置調整制御部３２９の制御の元に、入力された調整値をシート処理装置に設定する。本制御例では折り処理、中綴じステイプル位置調整値をフィニッシャ２１０に設定する。そして、Ｓ２５１７に進み、以降は前述同様の処理を行う。
【００９６】
以上のように、本実施形態によれば、印刷装置１００から直接排紙処理の位置調整値を設定できない排紙処理装置が装着されている場合でも、その対応方法を指示する表示を行う事でユーザにとって位置調整読がより容易になる。
【００９７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００９８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００９９】
１００  印刷装置
１０１  画像形成部
１０３  スキャナ部
２００  シート処理装置
【図１】
2015157457.tif 000003
【図２】
2015157457.tif 000004
【図３】
2015157457.tif 000005
【図４】
2015157457.tif 000006
【図５】
2015157457.tif 000007
【図６】
2015157457.tif 000008
【図７】
2015157457.tif 000009
【図８】
2015157457.tif 000010
【図９】
2015157457.tif 000011
【図１０】
2015157457.tif 000012
【図１１】
2015157457.tif 000013
【図１２】
2015157457.tif 000014
【図１３】
2015157457.tif 000015
【図１４】
2015157457.tif 000016
【図１５】
2015157457.tif 000017
【図１６】
2015157457.tif 000018
【図１７】
2015157457.tif 000019
【図１８】
2015157457.tif 000020
【図１９】
2015157457.tif 000021
【図２０】
2015157457.tif 000022
【手続補正書】
【提出日】平成26年2月26日(2014.2.26)
【手続補正１】
【補正対象書類名】図面
【補正対象項目名】図１
【補正方法】変更
【補正の内容】
【図１】
2015157457.tif 000023